(57)【要約】【課題】巻き物タイプ・ピアノ鍵盤の演奏の時手で感じられる演奏感覚を実際ピアノ鍵盤を押す感じと同じにさせて、長期間巻いたり広げたりする動作によってシリコーンゴムの決着力が弱くなる問題点を解決する。【解決手段】全音鍵盤と半音鍵盤が形成される上部パッドと、前記上部パッドのわく部分と鍵盤の間の内周面に形成される離脱防止凹凸部と、前記上部パッドの鍵盤内周面に形成される鍵盤接点突起と、前記上部パッドの鍵盤外周面に形成される傾斜部と、前記上部パッドの離脱防止凹凸部と結合される凹凸部を持つ下部パッドとで構成されたことを特徴とする。【選択図】図５
2008501983.tif 000002
【特許請求の範囲】
【請求項１】
鍵盤パッドにおいて，
全音鍵盤と半音鍵盤が形成される上部パッド；
前記上部パッドのわく部分と鍵盤の間の内周面に形成される離脱防止凹凸部；
前記上部パッドの鍵盤内周面に形成される鍵盤接点突起；
前記上部パッドの鍵盤外周面に形成される傾斜部；及び
前記上部パッドの離脱防止凹凸部と結合される凹凸部を持つ下部パッド；とを含むことを特徴とする鍵盤パッド。
【請求項２】
前記上部パッドと下部パッドの間には各鍵盤と対応されるように電気的接点を持つ軟性フィルムが安置されることを特徴とする請求項１記載の鍵盤パッド。
【請求項３】
前記上部パッドの鍵盤の間の内周面には前記軟性フィルムを支持するフィルム支持突起が形成されることを特徴とする請求項２記載の鍵盤パッド。
【請求項４】
前記鍵盤接点突起はドット（ｄｏｔ）形態で多数に形成されることを特徴とする請求項１記載の鍵盤パッド。
【請求項５】
前記鍵盤接点突起は歯タイプ（ｔｏｏｔｈ  ｔｙｐｅ）で多数に形成されることを特徴とする請求項１記載の鍵盤パッド。
【発明の詳細な説明】
【技術分野】
【０００１】
本発明は鍵盤パッドに関し、具体的には、シーツ形態に製作される巻き物タイプ鍵盤において、演奏の時演奏者が手で感じる演奏感覚を実際ピアノ鍵盤を押す感じと似るようにさせて、上下パッド決着状態を堅固に維持する鍵盤パッドに関する。
【背景技術】
【０００２】
一般的に巻き物タイプ鍵盤パッドは軽量化及び小型化のために薄くて軽く形成される。このような従来の鍵盤パッドは主にシリコーン材質で製作されるところ、上部パッド及び下部パッドで分けられてそれぞれ形成された後、軟性フィルムをその間に安着して相互決着させる形態に製作される。このような巻き物タイプ鍵盤パッドに関する従来技術をよく見れば、次のようである。
【０００３】
図１乃至図４は本出願人の特許文献１及びその分割出願である特許文献２に記載された鍵盤パッドである。
【０００４】
図１は鍵盤パッドを装着した巻き物タイプ・ピアノの一例である。鍵盤パッド１０００がコントローラー２０００に装着されたことが見られる。前記鍵盤パッド１０００は全音鍵盤の役目をする第１鍵盤１１０と半音鍵盤の役目をする第２鍵盤１２０を含む上部パッド１００、下部パッドに具備されて上部パッド１００の離脱を防止する離脱防止の段差２１０、上部パッド１００と下部パッドの結合を堅くする第１結合の段差１３０と接合チップ４００などを含む。前記コントローラー２０００はＬＣＤパネル２１００ａ、操作キー部２１００、スピーカー２２００などを含む。
【０００５】
図２は前記鍵盤パッド１０００をより詳しく現わした図で、前記コントローラー２０００との結合を堅くする第１差し込み結合部１４０、上部パッド１００と下部パッドの間に安置される軟性フィルムを前記コントローラー２０００で連結する接地部３３０などが見られる。
【０００６】
図３は前記鍵盤パッド１００を分解して図示したもので、上部パッド１００と下部パッドの間に配置される軟性フィルムが設けられ、軟性フィルム上に形成されて第１鍵盤の演奏によって接点を形成してコントローラー２０００へ電気的信号を伝達する第１接点部、第２鍵盤の演奏によって接点を形成してコントローラー２０００へ電気的信号を伝達する第２接点部が設けられている。また、下部パッドに形成されて上部パッド１００の第１結合の段差１３０とかみ合うようにする第２結合の段差２２０を具備して鍵盤パッド１０００の結束力を強化させるようにしている。
図４は、前記図３を分解し図示したものであり、上部パッド１００の内側面を現わすために上部パッド１００を覆して現わしたのである。上部パッド１００の第１鍵盤と対向されて形成された第１凹みぞ部１１０ａ、第２鍵盤と対向されて形成された第２凹みぞ部１２０ａが見られる。このような凹みぞ部１１０ａ、１２０ａは軟性フィルムの接点部３１０、３２０と連係されて形成されるのである。各凹みぞ部１１０ａ、１２０ａの間の突き出された区域は軟性フィルムの各接点部３１０、３２０の間の非接点区域と触れ合うようにして、演奏の時、押されられる一つの鍵盤によって隣接された他の鍵盤たちの接点形成を防止する。
【０００７】
しかし、前記した本出願人の特許文献１、２の技術的事項にはいくつかの問題点が発生するおそれがある。即ち、上部パッド１００に形成された各凹みぞ部１１０ａ、１２０ａとそれによって形成された突き出された区域によって作られた空いた空間は、演奏の時手で感じられる演奏感覚が実際ピアノ鍵盤を押す感じを具現するのに問題点が発生する。また、上部及び下部パッドの離脱を防止する手段として、下部パッドに形成された離脱防止の段差２１０と第２結合の段差２２０、上部パッドに形成された第１結合の段差１３０などが見られるところ、これは長期間巻いたり広げたりする動作によってシリコーン接着剤の決着力が弱くなれば致命的な損傷が発生する構造である。
【０００８】
また他の従来技術として、特許文献３〜７にも巻き物タイプ・ピアノに関する鍵盤パッドが見られるが、演奏の時手で感じられる演奏感覚が実際ピアノ鍵盤を押す感じを具現することに関する具体的な手段を提示することができなく、長期間巻いたり広げたりする動作によってシリコーンゴムの決着力が弱くなる問題点を解決する具体的な手段を提示することができなかった。
【０００９】
【特許文献１】大韓民国特許出願第２００３−０００８２８１号
【特許文献２】大韓民国特許出願第２００４−００４７４６８号
【特許文献３】大韓民国実用新案出願第２００１−００１１７１１号
【特許文献４】大韓民国実用新案出願第２００２−００２３５７２号
【特許文献５】大韓民国実用新案出願第２００４−００１７１３８号
【特許文献６】大韓民国特許出願第２００３−００５４７７０号
【特許文献７】米国特許第６，２５９，００６号明細書
【発明の開示】
【発明が解決しようとする課題】
【００１０】
本発明は前記のような従来技術の問題点を解決するものであり、巻き物タイプ・ピアノ鍵盤の演奏の時手で感じられる演奏感覚を実際ピアノ鍵盤を押す感じと殆ど同じにさせて、長期間巻いたり広げたりする動作によってシリコーンゴムの決着力が弱くなる問題点を解決する鍵盤パッドを提供するのに本発明の目的がある。
【課題を解決するための手段】
【００１１】
本発明の前記目的は全音鍵盤と半音鍵盤が形成される上部パッド；前記上部パッドのわく部分と鍵盤の間の内周面に形成される離脱防止凹凸部；前記上部パッドの鍵盤内周面に形成される鍵盤接点突起；前記上部パッドの鍵盤外周面に形成される傾斜部；前記上部パッドの離脱防止凹凸部と結合される凹凸部を持つ下部パッド；とを含むことを特徴とする鍵盤パッドによって達成される。
【発明の効果】
【００１２】
本発明の鍵盤パッドは鍵盤の内側に鍵盤接点突起を形成して鍵盤わく部分に傾斜部を形成することで、巻き物タイプ・ピアノ鍵盤の演奏の時手で感じられる演奏感覚を実際ピアノ鍵盤を押す感じと殆ど同じにさせて、鍵盤接点突起によって軟性フィルムを押す時間が短縮されることで、鍵盤をもっとボリューム感があるように形成することができ、又、鍵盤パッドのわく部分と鍵盤の間の空間に離脱防止凹凸部を形成することで、上部パッドと下部パッドの決着状態をもっと堅くして長期間巻いたり広げたりする動作によってシリコーンゴムの決着力が弱くなる問題点を解決して、鍵盤パッドのわく部分の美麗さを付与することができる効果がある。
【発明を実施するための最良の形態】
【００１３】
以下、本発明に係る好ましい実施形態を添付図面を参照しつつ詳細に説明する。
【００１４】
本発明の前記目的と構成及び効果に関する詳しい事項は本発明の実施例を図示した図面を参照した詳細な説明によって明確に理解される。
【００１５】
図５乃至図７は本発明の実施例による鍵盤パッド１０の部分拡大図である。本発明の鍵盤パッド１０が長期間巻いたり広げたりする動作によってシリコーンゴムの決着力が弱くなる問題点を解決する構成は次のようである。
【００１６】
図５で見られる鍵盤パッド１０は前記図１乃至図４で見られる結合の段差１３０，２２０と離脱防止の段差２１０が鍵盤パッド１０のわく部分に形成されない状態を確認することができる。
【００１７】
前記結合の段差１３０、２２０は巻き物タイプ鍵盤パッドを巻いて広げる動作でともすればその厚さが厚くなることができるし、鍵盤パッドの端の部分の見掛けを多様な形態で美麗さを付与するにも限界がある。前記離脱防止の段差２１０は上部パッド１００の離脱を防止するには効果的だがパッドを巻いて広げる動作でともすればシリコーンゴムの決着状態を低下させることができる問題がある。
【００１８】
したがって、本発明の実施例による鍵盤パッド１０は前記結合の段差１３０、２２０の横方向の離脱防止機能と前記離脱防止の段差２１０の機能である縦方向の離脱防止機能を同時に果たす構造を持つ。即ち、離脱防止凹凸部１を鍵盤パッド１０のわく部分ではないわくと鍵盤２、３の間に形成することで、横及び縦方向の離脱防止機能を同時に果たすことができるのである。このような離脱防止凹凸部１の詳細な構造は次のようである。
【００１９】
図５で見られる点線は離脱防止凹凸部１を現わし、Ａ−Ａ’線の断面図である図６及びＢ−Ｂ’線の断面図である図７を通じてその構造が詳細に表されている。鍵盤パッド１０のわく部分ではないわくと鍵盤２、３の間に形成される離脱防止凹凸部１はその形態を多様に設定することができるし、鍵盤パッド１０の決着状態をもっと堅くできるので、鍵盤パッド１０わく部分をより多様な形態の美麗さを付与することができる構造である。
【００２０】
本発明の巻き物タイプ・ピアノ鍵盤パッド１０の演奏の時手で感じられる演奏感覚を実際ピアノ鍵盤を押す感じと殆ど同じにさせる構成は次のようである。
【００２１】
図５は前記図１乃至図４で見られる鍵盤パッド１０００の左側一部分に対するのと同様で、本発明による鍵盤パッド１０の一部分を現わしたのである。また、図５は鍵盤パッド１０に形成された鍵盤接点突起４を説明するために全音鍵盤２及び半音鍵盤３の一部分を透視したのである。
【００２２】
図５の半音鍵盤３を透視した平面図を見れば、ドット（ｄｏｔ）形態で成り立った鍵盤接点突起４を確認することができる。前記鍵盤接点突起４は図６及び図７でもっと詳しく確認することができるし、前記鍵盤接点突起４は半音鍵盤３だけでなく全音鍵盤２にも形成されることができることは自明である。
【００２３】
図８は前記鍵盤接点突起４が違う形態で設定された実施例である。図８の鍵盤接点突起４は歯タイプ（ｔｏｏｔｈ  ｔｙｐｅ）に設定されたことを確認することができる。前記図５及び図８を通じて確認することができるように、鍵盤接点突起４の多様な変形を通じて鍵盤パッド１０の演奏の時、手で感じられる演奏感覚を実際ピアノ鍵盤を押す感じと似たり寄ったりになるようにできるのである。図９は図８のＣ−Ｃ’線の断面図で、図１０は図８のＤ−Ｄ’線の断面図を現わしたものである。
【００２４】
本発明の鍵盤パッド１０は鍵盤２、３に傾斜部５を形成して実際ピアノ鍵盤を押す感じともっと殆ど同じにさせる。図５乃至図１０で見られるところのように、各鍵盤２、３のわく部分に傾斜部５を形成することで、実際ピアノ鍵盤と類似の形態を取るのである。前記傾斜部５のラウンド角は可能な実際ピアノ鍵盤のラウンド角と一致するように形成する。
本発明の鍵盤パッド１０は上部パッド１１と下部パッド１２に配置され、軟性フィルムを支持するフィルム支持突起６を形成する。図５乃至図１０で見られるところのように、フィルム支持突起６は鍵盤と鍵盤の間の突出部の一定部分に所定の個数ほど形成することができるのである。前記軟性フィルム、突出部などの詳細な構造は、図１乃至図４を通じて詳しく確認することができる。
【００２５】
本発明は望ましい実施例をあげて図示して説明したが、前記実施例に限定されないで本発明の精神を脱しない範囲内で本発明が属する技術分野の当業者によって多様な変更と修正が可能である。
【図面の簡単な説明】
【００２６】
【図１】従来技術による鍵盤パッドを装着した巻き物タイプ・ピアノの一例。
【図２】従来技術による鍵盤パッドの詳細図。
【図３】従来技術による鍵盤パッドの分解図。
【図４】従来技術による鍵盤パッドの上部パッド内周面の詳細図。
【図５】本発明の実施例による鍵盤パッドの部分拡大図。
【図６】本発明の実施例による鍵盤パッドの側面断面図。
【図７】本発明の実施例による鍵盤パッドの正面断面図。
【図８】本発明の他の実施例による鍵盤パッドの部分拡大図。
【図９】本発明の他の実施例による鍵盤パッドの側面断面図。
【図１０】本発明の他の実施例による鍵盤パッドの正面断面図。
【符号の説明】
【００２７】
１：離脱防止凹凸部
２：全音鍵盤
３：半音鍵盤
４：鍵盤接点突起
５：傾斜部
６：フィルム支持突起
１０：鍵盤パッド
１１：上部パッド
１２：下部パッド
【図１】
2008501983.tif 000003
【図２】
2008501983.tif 000004
【図３】
2008501983.tif 000005
【図４】
2008501983.tif 000006
【図５】
2008501983.tif 000007
【図６】
2008501983.tif 000008
【図７】
2008501983.tif 000009
【図８】
2008501983.tif 000010
【図９】
2008501983.tif 000011
【図１０】
2008501983.tif 000012
【手続補正書】
【提出日】平成19年5月28日(2007.5.28)
【手続補正１】
【補正対象書類名】特許請求の範囲
【補正対象項目名】全文
【補正方法】変更
【補正の内容】
【特許請求の範囲】
【請求項１】
鍵盤パッドにおいて，
全音鍵盤と半音鍵盤とを含む鍵盤部が形成されるシリコン材質の上部パッド；
前記上部パッドの内周面に形成され、前記上部パッドのわく部分と前記鍵盤部の間に連続的に形成される離脱防止凹凸部；
前記上部パッドの鍵盤内周面の凹みぞ部に形成される鍵盤接点突起；
前記上部パッドの鍵盤外周面のわく部分に形成される傾斜部；及び
前記上部パッドの離脱防止凹凸部と結合される凹凸部を持つシリコン材質の下部パッド；
を含むことを特徴とする鍵盤パッド。
【請求項２】
前記上部パッドと下部パッドの間には各鍵盤と対応されるように電気的接点を持つ軟性フィルムが安置されることを特徴とする請求項１記載の鍵盤パッド。
【請求項３】
前記上部パッドの鍵盤の間の内周面には前記軟性フィルムを支持するフィルム支持突起が形成されることを特徴とする請求項２記載の鍵盤パッド。
【請求項４】
前記鍵盤接点突起はドット（ｄｏｔ）形態で多数に形成されることを特徴とする請求項１記載の鍵盤パッド。
【請求項５】
前記鍵盤接点突起は歯タイプ（ｔｏｏｔｈ  ｔｙｐｅ）で多数に形成されることを特徴とする請求項１記載の鍵盤パッド。
【手続補正書】
【提出日】平成19年10月5日(2007.10.5)
【手続補正１】
【補正対象書類名】特許請求の範囲
【補正対象項目名】全文
【補正方法】変更
【補正の内容】
【特許請求の範囲】
【請求項１】
鍵盤パッドにおいて，
全音鍵盤と半音鍵盤とを含む鍵盤部が形成されるシリコン材質の上部パッド；
前記上部パッドの内面における、前記上部パッドのわく部分と前記鍵盤部の間に形成される離脱防止凹凸部；
前記上部パッドの内面における、前記鍵盤の凹みぞ部に形成される鍵盤接点突起；
前記上部パッドの外面における、前記鍵盤のわく部分に形成される傾斜部；及び
前記上部パッドの離脱防止凹凸部と結合される凹凸部を持つシリコン材質の下部パッド；
を含むことを特徴とする鍵盤パッド。
【請求項２】
前記上部パッドと下部パッドの間には各鍵盤と対応されるように電気的接点を持つ軟性フィルムが安置されることを特徴とする請求項１記載の鍵盤パッド。
【請求項３】
前記上部パッドの内面には前記軟性フィルムを固定するフィルム支持突起が形成されることを特徴とする請求項２記載の鍵盤パッド。
【請求項４】
前記鍵盤接点突起はドット（ｄｏｔ）形態で多数形成されることを特徴とする請求項１記載の鍵盤パッド。
【請求項５】
前記鍵盤接点突起は歯タイプ（ｔｏｏｔｈ  ｔｙｐｅ）で多数形成されることを特徴とする請求項１記載の鍵盤パッド。
【手続補正２】
【補正対象書類名】明細書
【補正対象項目名】０００５
【補正方法】変更
【補正の内容】
【０００５】
図２は前記鍵盤パッド１０００をより詳しく現わした図で、前記コントローラー２０００との結合を堅くする第１差し込み結合部１４０、上部パッド１００と下部パッドの間に安置される軟性フィルムを前記コントローラー２０００に連結する接地部３３０などが見られる。
【手続補正３】
【補正対象書類名】明細書
【補正対象項目名】０００６
【補正方法】変更
【補正の内容】
【０００６】
図３は前記鍵盤パッド１０００を分解して図示したもので、上部パッド１００と下部パッドの間に配置される軟性フィルムが設けられ、軟性フィルム上に形成されて第１鍵盤の演奏によって接点を形成してコントローラー２０００へ電気的信号を伝達する第１接点部、第２鍵盤の演奏によって接点を形成してコントローラー２０００へ電気的信号を伝達する第２接点部が設けられている。また、下部パッドに形成されて上部パッド１００の第１結合の段差１３０とかみ合うようにする第２結合の段差２２０を具備して鍵盤パッド１０００の結束力を強化させるようにしている。
図４は、前記図３を分解し図示したものであり、上部パッド１００の内側面を現わすために上部パッド１００を覆して現わしたものである。上部パッド１００の第１鍵盤と対向して形成された第１凹みぞ部１１０ａ、第２鍵盤と対向して形成された第２凹みぞ部１２０ａが見られる。このように凹みぞ部１１０ａ、１２０ａは軟性フィルムの接点部３１０、３２０と連係されて形成されるのである。各凹みぞ部１１０ａ、１２０ａの間の突き出された区域は軟性フィルムの各接点部３１０、３２０の間の非接点区域と触れ合うようにして、演奏の時、押される一つの鍵盤によって隣接された他の鍵盤の接点形成を防止する。
【手続補正４】
【補正対象書類名】明細書
【補正対象項目名】００１１
【補正方法】変更
【補正の内容】
【００１１】
本発明の前記目的は全音鍵盤と半音鍵盤とを含む鍵盤部が形成されるシリコン材質の上部パッド；前記上部パッドの内面における、前記上部パッドのわく部分と前記鍵盤部の間に形成される離脱防止凹凸部；前記上部パッドの内面における、前記鍵盤の凹みぞ部に形成される鍵盤接点突起；前記上部パッドの外面における、前記鍵盤のわく部分に形成される傾斜部；及び前記上部パッドの離脱防止凹凸部と結合される凹凸部を持つシリコン材質の下部パッド；を含むことを特徴とする鍵盤パッドによって達成される。
【手続補正５】
【補正対象書類名】明細書
【補正対象項目名】００１７
【補正方法】変更
【補正の内容】
【００１７】
前記結合の段差１３０、２２０は巻き物タイプ鍵盤パッドを巻いて広げる動作でともすればその厚さが厚くなり、鍵盤パッドの端の部分の見かけを多様な形態で美麗さを付与するにも限界がある。前記離脱防止の段差２１０は上部パッド１００の離脱を防止するには効果的だが、パッドを巻いて広げる動作でともすればシリコーンゴムの決着状態を低下させるという欠点がある。
【手続補正６】
【補正対象書類名】明細書
【補正対象項目名】００１９
【補正方法】変更
【補正の内容】
【００１９】
図５で見られる点線は離脱防止凹凸部１を現わし、Ａ−Ａ’線の断面図である図６及びＢ−Ｂ’線の断面図である図７を通じてその構造が詳細に表されている。鍵盤パッド１０のわく部分ではないわくと鍵盤２、３の間に形成される離脱防止凹凸部１はその形態を多様に設定することができるし、鍵盤パッド１０の決着状態を更に強固にできるので、鍵盤パッド１０のわく部分に、より多様な形態の美麗さを付与することができる。
【手続補正７】
【補正対象書類名】明細書
【補正対象項目名】００２３
【補正方法】変更
【補正の内容】
【００２３】
図８は前記鍵盤接点突起４が違う形態で設定された実施例である。図８の鍵盤接点突起４が、歯タイプ（ｔｏｏｔｈ  ｔｙｐｅ）に設定されたことを確認することができる。前記図５及び図８を通じて確認することができるように、鍵盤接点突起４の多様な変形を通じて、鍵盤パッド１０の演奏の時、手で感じられる演奏感覚を実際のピアノ鍵盤を押す感じと似たようにできるのである。図９は図８のＣ−Ｃ’線の断面図で、図１０は図８のＤ−Ｄ’線の断面図を現わしたものである。
【手続補正８】
【補正対象書類名】明細書
【補正対象項目名】００２４
【補正方法】変更
【補正の内容】
【００２４】
本発明の鍵盤パッド１０は、鍵盤２、３に傾斜部５を形成することで、実際のピアノ鍵盤を押す感じと殆ど同じにさせている。図５乃至図１０に図示したように、各鍵盤２、３のわく部分に傾斜部５を形成することで、実際のピアノ鍵盤と類似の形態になる。前記傾斜部５のラウンド角は、実際のピアノ鍵盤のラウンド角と一致するように形成する。
本発明の鍵盤パッド１０は上部パッド１１と下部パッド１２に配置され、軟性フィルムを支持するフィルム支持突起６を形成する。図５乃至図１０に図示したように、フィルム支持突起６は鍵盤と鍵盤の間の突出部の一定部分に所定の個数形成することができる。前記軟性フィルム、突出部などの詳細な構造は、図１乃至図４を通じて詳しく確認することができる。
【国際調査報告】
2008501983.tif 000013